(57)【要約】  本発明の態様は、タッチバー及び携帯端末装置を開示している。前記本発明の実施形態におけるタッチバーは、インターフェースモジュール及びタッチパネルを含み、前記インターフェースモジュールは、前記タッチパネルに接続され、前記インターフェースモジュールは、適合手段で携帯端末上のインターフェースに接続されるように構成され、前記タッチパネルは、前記タッチパネル上のユーザのタッチ操作を検出し、対応する検出信号を生成し、かつ、前記インターフェースモジュールを使用することによって、前記検出信号を前記携帯端末の中のプロセッサに送信するように構成され、その結果、前記プロセッサは、前記検出信号と、前記携帯端末のディスプレイインターフェース上に現在表示されたコンテンツとに基づいて、前記携帯端末を制御する。例えば、ブラウザページをフリックアップ及びダウンする、イーブックのページをめくる、及び音量を調節するような機能が効率的に実行され、操作性が高まり、かつ、ユーザ体験は、スクリーンがユーザのタップ操作又はフリック操作によってブロックされることにより影響されることが防がれ、効率的にユーザ体験を改善する。
2015510202.tif 000002
【特許請求の範囲】
【請求項１】
タッチバーであって、
インターフェースモジュール及びタッチパネルを含み、
前記インターフェースモジュールは、前記タッチパネルに接続され、
前記インターフェースモジュールは、携帯端末上の適合インターフェースを接続するように構成され、かつ、
前記タッチパネルは、前記タッチパネル上でユーザのタッチ操作を検出し、対応する検出信号を生成し、かつ、前記インターフェースモジュールを使用することによって前記携帯端末の中のプロセッサに前記検出信号を送信するように構成され、その結果、前記プロセッサは、前記検出信号と、前記携帯端末のディスプレイインターフェース上に現在表示されたコンテンツとに基づいて前記携帯端末を制御する、タッチバー。
【請求項２】
前記タッチパネルはタッチセンサーである、請求項１に記載のタッチバー。
【請求項３】
前記インターフェースモジュールは、ユニバーサル・シリアル・バスUSBインターフェース、又は、万能非同期送受信機UARTインターフェースである、請求項１に記載のタッチバー。
【請求項４】
前記タッチ操作は、タップ操作又はフリック操作である、請求項１に記載のタッチバー。
【請求項５】
前記検出信号は、位置情報及び方向情報を含み、その結果、前記プロセッサは、前記検出信号に含まれる前記位置情報及び方向情報に基づいて前記ユーザによって実行されるタッチ操作を決定し、前記位置情報は、前記タッチパネル上の前記ユーザの前記タッチ操作の位置領域を表すために使用され、かつ、前記方向情報は、前記タッチパネル上の前記ユーザの前記タッチ操作の方向を表すために使用される、請求項１〜４のいずれか一項に記載のタッチバー。
【請求項６】
前記プロセッサは、さらに、前記ユーザによって実行される前記タッチ操作と、前記携帯端末の前記ディスプレイインターフェース上に現在表示された前記コンテンツとに基づいて、前記携帯端末のブラウザ上に表示されたページをフリックアップするように制御し、又は、前記携帯端末の前記ブラウザ上の前記ページをフリックダウンするように制御し、又は、ドキュメントの前のページを表示するために前記携帯端末の前記ディスプレイインターフェースを制御し、又は、前記ドキュメントの次のページを表示するために前記携帯端末の前記ディスプレイインターフェースを制御し、又は、音量を上げるために前記携帯端末を制御し、又は、前記音量を下げるために前記携帯端末を制御するように構成される、請求項５に記載のタッチバー。
【請求項７】
携帯端末装置であって、
タッチバー及び携帯端末を含み、
前記タッチバーは、インターフェースモジュール及びタッチパネルを含み、前記インターフェースモジュールは、前記タッチパネルに接続され、
前記携帯端末は、プロセッサ及び端末インターフェースを含み、前記端末インターフェースは、前記インターフェースモジュールに接続され、前記インターフェースモジュールは、前記端末インターフェースに適合し、
前記タッチパネルは、前記タッチパネル上のユーザのタッチ操作を検出するとともに、対応する検出信号を生成するように構成され、かつ、前記インターフェースモジュール及び前記端末インターフェースを使用することによって、前記プロセッサに前記検出信号を送信するように構成され、かつ、
前記プロセッサは、前記検出信号と、前記携帯端末のディスプレイインターフェース上に現在表示されたコンテンツとに基づいて前記携帯端末を制御するように構成される、携帯端末装置。
【請求項８】
前記インターフェースモジュールは、ユニバーサル・シリアル・バスUSBインターフェース、又は、万能非同期送受信機UARTインターフェースである、請求項７に記載の携帯端末装置。
【請求項９】
前記タッチパネルは、タッチセンサーである請求項７に記載の携帯端末装置。
【請求項１０】
前記インターフェースモジュールは、プラグ接続可能な方法で、前記端末インターフェースに接続される、請求項７に記載の携帯端末装置。
【請求項１１】
前記タッチ操作は、タップ操作又はフリック操作である、請求項７に記載の携帯端末装置。
【請求項１２】
前記携帯端末は、さらにディスプレイモジュールを含み、前記ディスプレイモジュールは、前記ユーザに示されるコンテンツを表示するように構成され、
前記検出信号は、位置情報及び方向情報を含み、前記プロセッサは、前記検出信号に含まれる前記位置情報及び前記方向情報に基づいて前記ユーザによって実行される前記タッチ操作を決定し、かつ、前記ディスプレイモジュールのブラウザ上に表示されたページをフリックアップするように制御し、又は、前記ディスプレイモジュールの前記ブラウザ上の前記ページをフリックダウンするように制御し、又は、ドキュメントの前のページを表示するために前記ディスプレイモジュールを制御し、又は、前記ユーザによって実行される前記タッチ操作と、前記ディスプレイモジュール上に現在表示された前記コンテンツとに基づいて前記ドキュメントの次のページを表示するために前記ディスプレイモジュールを制御するように構成され、
前記位置情報は、前記タッチパネル上の前記ユーザの前記タッチ操作の位置領域を表すために使用され、かつ、前記方向情報は、前記タッチパネル上の前記ユーザの前記タッチ操作の方向を表すために使用される、請求項７〜１１のいずれか一項に記載の携帯端末装置。
【請求項１３】
前記携帯端末はさらに、音声モジュールを含み、音声モジュールは、前記ユーザによって聴かれる音声を送信するように構成され、ついで、前記プロセッサはさらに、前記ユーザによって実行される前記タッチ操作と、前記ディスプレイモジュール上に現在表示された前記コンテンツとに基づいて音量を上げるように前記音声モジュールを制御し、又は、音量を下げるように前記音声モジュールを制御するように構成される、請求項１２に記載の携帯端末装置。
【請求項１４】
前記携帯端末は、タブレットコンピュータ又は携帯電話である、請求項１３に記載の携帯端末装置。
【発明の詳細な説明】
【技術分野】
【０００１】
本発明は、携帯端末デバイスの分野に関連し、特に、タッチバー及び携帯端末装置に関連する。
【背景技術】
【０００２】
携帯電話技術が発達に伴い、タッチスクリーン操作のような、大画面スクリーンの携帯電話は真新しい操作モードについて進歩し続けている。ユーザは、携帯電話を操作するために、指又は他の物体を用いて、タッチスクリーンをタッチ又はタップしてもよく、又は、タッチスクリーンをフリックしてもよい。
【０００３】
しかし現在では、ユーザは、ウェブページ又はイーブック(ebook)を閲覧するとき、指を用いてディスプレイインターフェースをタップする必要があり、又は、指を用いてディスプレイインターフェースをフリックするする必要があり、ユーザが指を用いてディスプレイインターフェース上をタップ又はフリックするとき、スクリーンは一般的にブロックされ、かつ従って、ユーザ体験が影響を受け、かつ、弱くなる。
【発明の概要】
【課題を解決するための手段】
【０００４】
本発明の態様は、タッチバー及び携帯端末装置を提供する。ユーザは、例えば、ブラウザページをフリックアップ及びダウン、イーブックのページをめくる、かつ、音量を調節するような機能を実装するために、タッチバーを使用することによって携帯端末を制御してもよく、操作性が高まり、かつ、ユーザ体験は、スクリーンがユーザのタップ操作又はフリック操作によってブロックされることにより影響されるのを防ぎ、効率的にユーザ体験を改善する。
【０００５】
本発明の第一の態様は、
インターフェースモジュール及びタッチパネルを含むタッチバーを提供し、前記インターフェースモジュールは、前記タッチパネルに接続され、
前記インターフェースモジュールは、携帯端末上の適合インターフェースを接続するように構成され、
前記タッチパネルは、前記タッチパネル上のユーザのタッチ操作を検出し、対応する検出信号を生成し、かつ、前記インターフェースモジュールを使用することによって前記携帯端末の中のプロセッサに前記検出信号を送信するように構成され、その結果、前記プロセッサは、前記検出信号と、前記携帯端末のディスプレイインターフェース上に現在表示されたコンテンツとに基づいて前記携帯端末を制御する。
【０００６】
第一態様の考えられる第一の実施方法において、前記タッチパネルは、タッチセンサーである。
【０００７】
第一態様の考えられる第二の実施方法において、前記インターフェースモジュールは、ユニバーサル・シリアル・バスUSBインターフェース(universal serial bus USB interface)、又は、万能非同期送受信機UARTインターフェース(universal asynchronous receiver/transmitter UART interface)である。
【０００８】
第一態様の考えられる第三の実施方法において、前記タッチ操作は、タップ操作又はフリック操作である。
【０００９】
第一の態様、第一態様の考えられる第一の実施方法、第一態様の考えられる第二の実施方法、又は、第一態様の考えられる第三の実施方法を参照すると、考えられる第四の実施方法において、前記検出信号は、位置情報及び方向情報を含み、その結果、前記プロセッサは、前記検出信号に含まれる前記位置情報及び方向情報に基づいて前記ユーザによって実行されるタッチ操作を決定し、前記位置情報は、前記タッチパネル上の前記ユーザの前記タッチ操作の位置領域を表すために使用され、前記方向情報は、前記タッチパネル上の前記ユーザの前記タッチ操作の方向を表すために使用される。
【００１０】
第一態様の考えられる第四の実施方法を参照すると、考えられる第五の実施方法において、前記プロセッサはさらに、前記ユーザによって実行される前記タッチ操作と、前記携帯端末の前記ディスプレイインターフェース上に現在表示された前記コンテンツとに基づいて、前記携帯端末のブラウザ上に表示されたページをフリックアップするように制御し、又は、前記携帯端末の前記ブラウザ上の前記ページをフリックダウンするように制御し、又は、ドキュメントの前のページを表示するために前記携帯端末の前記ディスプレイインターフェースを制御し、又は、前記ドキュメントの次のページを表示するために前記携帯端末の前記ディスプレイインターフェースを制御し、又は、音量を上げるために前記携帯端末を制御し、又は、前記音量を下げるために前記携帯端末を制御するように構成される。
【００１１】
本発明の第二の態様は、タッチバー及び携帯端末を含む携帯端末装置を提供し、
前記タッチバーは、インターフェースモジュール及びタッチパネルを含み、前記インターフェースモジュールは、前記タッチパネルに接続され、
前記携帯端末は、プロセッサ及び端末インターフェースを含み、前記端末インターフェースは、前記インターフェースモジュールに接続され、前記インターフェースモジュールは、前記端末インターフェースに適合し、
前記タッチパネルは、前記タッチパネル上のユーザのタッチ操作を検出するとともに、対応する検出信号を生成するように構成され、かつ、前記インターフェースモジュール及び前記端末インターフェースを使用することによって、前記プロセッサに前記検出信号を送信するように構成され、かつ、
前記プロセッサは、前記検出信号と、前記携帯端末のディスプレイインターフェース上に現在表示されたコンテンツとに基づいて、前記携帯端末を制御するように構成される。
【００１２】
第二の態様の考えられる第一の実施方法において、前記インターフェースモジュールは、ユニバーサル・シリアル・バスUSBインターフェース、又は、万能非同期送受信機UARTインターフェースであってよい。
【００１３】
第二の態様の考えられる第二の実施方法において、前記タッチパネルはタッチセンサーである。
【００１４】
第二の態様の考えられる第三の実施方法において、前記インターフェースモジュールは、プラグ接続可能な方法で、前記端末インターフェースに接続される。
【００１５】
第二の態様の考えられる第四の実施方法において、前記タッチ操作は、タップ操作又はフリック操作である。
【００１６】
第二の態様、第二態様の考えられる第一の実施方法、第二態様の考えられる第二の実施方法、第二態様の考えられる第三の実施方法、又は、第二態様の考えられる第四の実施方法を参照すると、考えられる第五の実施方法において、前記携帯端末はさらに、ディスプレイモジュールを含み、前記ディスプレイモジュールは、前記ユーザに示されたコンテンツを表示するように構成され、前記検出信号は、位置情報及び方向情報を含み、前記プロセッサは、前記検出信号に含まれる前記位置情報及び前記方向情報に基づいて前記ユーザによって実行される前記タッチ操作を決定するように構成され、かつ、前記ユーザによって実行される前記タッチ操作と、前記ディスプレイモジュール上に現在表示された前記コンテンツとに基づいて、前記ディスプレイモジュールのブラウザ上に表示されたページをフリックアップするように制御され、前記ディスプレイモジュールの前記ブラウザ上の前記ページをフリックダウンするように制御し、又は、ドキュメントの前のページを表示するために前記ディスプレイモジュールを制御し、又は、前記ドキュメントの次のページを表示するために前記ディスプレイモジュールを制御するように構成され、前記位置情報は、前記タッチパネル上の前記ユーザの前記タッチ操作の位置領域を表すために使用され、かつ、前記方向情報は、前記タッチパネル上の前記ユーザの前記タッチ操作の方向を表すために使用される。
【００１７】
第二の態様の考えられる第五の実施方法を参照すると、考えられる第六の実施方法において、前記携帯端末はさらに、音声モジュールを含み、前記音声モジュールは、前記ユーザによって聴かれる音声を送信するように構成され、ついで、前記プロセッサはさらに、前記ユーザによって実行される前記タッチ操作と、前記ディスプレイモジュール上に現在表示された前記コンテンツとに基づいて、音量を上げるために前記音声モジュールを制御し、又は、前記音量を下げるために前記音声モジュールを制御するように構成される。
【００１８】
第二の態様の考えられる第六の実施方法を参照すると、考えられる第七の実施方法において、前記携帯端末は、タブレットコンピュータ又は携帯電話である。
【００１９】
上記の技術的解決策に基づいて、本発明の態様は次の利点を有する。
【００２０】
タッチバーは、インターフェースモジュール及びタッチパネルを含み、前記インターフェースモジュールは、前記タッチパネルに接続され、前記インターフェースモジュールは、携帯端末上の適合インターフェースを接続するように構成され、かつ、前記タッチパネルは、前記タッチパネル上のユーザのタッチ操作を検出し、かつ、対応する検出信号を生成し、かつ、前記インターフェースモジュールを使用することによって、前記携帯端末の中のプロセッサに前記検出信号を送信するように構成され、その結果、前記プロセッサは、前記検出信号と、前記携帯端末のディスプレイインターフェース上に現在表示されたコンテンツとに基づいて前記携帯端末を制御する。例えば、ブラウザページをフリックアップ及びダウンし、イーブックのページをめくり、かつ、音量を調節するような機能が実装されてもよく、操作性が高まり、かつ、ユーザ体験は、スクリーンがユーザのタッチ操作によってブロックされることにより影響されるのを防ぎ、効率的にユーザ体験を改善する。
【図面の簡単な説明】
【００２１】
【図１】本発明の実施形態におけるタッチバーの概略的な側面図である。
【図２】本発明の実施形態におけるタッチバーの概略的な主景図である。
【図３】本発明の実施形態における携帯端末装置の構造の概略図である。
【図４】本発明の実施形態における携帯端末装置上の分解された携帯端末及びタッチバーを示している概略図である。
【図５】本発明の実施形態における携帯端末装置の構造の別の概略図である。
【図６】本発明の実施形態における携帯端末装置の構造の別の概略図である。
【図７】本発明の実施形態における携帯端末装置の構造の別の概略図である。
【発明を実施するための形態】
【００２２】
本発明の態様は、タッチバー及び携帯端末装置を提供する。ユーザは、タッチバーを使用することによって携帯端末を制御してもよく、その結果、例えば、ブラウザページの中のコンテンツをフリックアップ(flick up)及びダウン(flick down)する、イーブック(ebook)のページをめくる、かつ、音量を調節するような機能を実装してもよい。前記携帯端末の操作性が高まり、かつ、ユーザ体験は、スクリーンがユーザのタッチ操作によってブロックされることにより影響されることが防がれ、効率的にユーザ体験を改善する。
【００２３】
図１及び図２を参照すると、図１は、本発明の実施形態におけるタッチバーの側面であり、図２は、本発明の実施形態におけるタッチバーの主景である。前記タッチバーは、インターフェースモジュール101及びタッチパネル102を含む。
【００２４】
前記インターフェースモジュール101は、前記タッチパネル102に接続される。前記インターフェースモジュール101は、携帯端末上の適合インターフェース(matching interface)を接続するように構成される。前記タッチパネル102は、前記タッチパネル上のユーザのタッチ操作102を検出し、対応する検出信号を生成し、かつ、前記インターフェースモジュール101を使用することによって、前記携帯端末の中のプロセッサに前記検出信号を送信するように構成され、その結果、前記プロセッサは、前記検出信号と、前記携帯端末のディスプレイインターフェース上に現在表示されたコンテンツとに基づいて前記携帯端末を制御する。
【００２５】
本発明の実施形態において、前記タッチパネル102は、データ入力装置である。前記タッチパネル102は、タッチポイントを有し、かつ、前記タッチポイントは、前記タッチパネル102のパネル上に行列の形式で配列される。前記ユーザが、タッチパネル102上でタッチ操作を実行するとき、前記タッチパネル102のタッチポイントは、前記ユーザのタッチ操作を検出し、かつ、対応する検出信号を生成する。前記検出信号は、位置情報及び方向情報を含み、前記位置情報は、前記タッチパネル102上の前記ユーザの前記タッチ操作の位置領域を表すために使用され、前記方向情報は、前記タッチパネル102上の前記ユーザの前記タッチ操作の方向を表すために使用される。例えば、もし、前記ユーザがタップ操作を実行する場合、前記タップ操作の検出の後に前記タッチパネル102によって生成される前記位置情報は、タッチポイント51,52,75,及び76であり、かつ、前記方向情報は方向を持たない。
【００２６】
本発明の実施形態において、前記タッチパネル102上で前記ユーザによって実行される前記タッチ操作は、タップ操作又はフリック操作であってよく、前記タッチ操作は、前記ユーザが身体の一部又は他の物体を用いて前記タッチパネル102にタッチすることを言及している。
【００２７】
好ましくは、本発明の実施形態において、前記タッチパネル102は、タッチセンサーであってよい。
【００２８】
好ましくは、本発明の実施形態において、前記インターフェースモジュール101は、ユニバーサル・シリアル・バス (universal serial bus, USB) インターフェース、又は、万能非同期送受信機 (universal asynchronous receiver/transmitter, UART) インターフェースであってよい。もし、前記タッチバー上の前記インターフェースモジュール101が、USB インターフェースである場合、前記タッチバー上の前記インターフェースモジュール101は、前記携帯端末上のUSB インターフェースに接続されてもよく、もし、前記タッチバー上の前記インターフェースモジュール101が、UARTインターフェースである場合、前記タッチバー上の前記インターフェースモジュール101は、前記携帯端末上のUARTインターフェースに接続されてもよく、その結果、インターフェースモジュールと、適合インターフェースとの間の接続を実行する。
【００２９】
本発明の実施形態において、前記プロセッサは、前記受信された検出信号に含まれる前記位置情報及び方向情報と、前記ユーザによって実行される前記タッチ操作との間のマッピング関係(mapping relationship)を予め設定してもよい。例えば、前記プロセッサは、予め設定された比率に基づいて、前記タッチパネル102を二つの領域、領域A及び領域Bそれぞれに分割してもよく、かつ、領域Aにおける前記ユーザのタップ操作は、第一の領域タップ操作であると予め設定されてよく、前記ユーザがBからAへの方向にフリックするときに、前記フリック操作はフリックアップ操作であると予め設定され、領域Bにおける前記ユーザのタップ操作は、第二の領域タップ操作であると予め設定され、かつ、前記ユーザが領域AからBへの方向にフリックするとき、前記フリック操作がフリックダウン操作であると予め設定されてもよい。前記プロセッサは、上記の方法に基づいて、前記タッチパネル上での前記ユーザのタッチについての前記位置情報及び方向情報と、前記ユーザによって実行される前記タッチ操作との間のマッピング関係を予め設定してよく、その結果、前記プロセッサは、前記インターフェースモジュールの使用により、前記タッチパネル102によって送信される検出情報を受信した後、検出情報の中に含まれる前記位置情報及び方向情報に基づいて、前記ユーザによって実行される前記タッチ操作を決定してもよい。
【００３０】
本発明の実施形態において、前記ユーザは、前記タッチパネル102上のタッチ操作を実行してもよく、かつ、前記タッチ操作は、タップ操作又はフリック操作であってよく、前記フリック操作は具体的には、フリックアップ操作及びフリックダウン操作を含むが、これに限定されず、かつ、前記タップ操作は、第一の領域タップ操作及び第二の領域タップ操作を含むが、これに限定されない。注目されるべきは、本発明の実施形態における“フリックアップ操作”、“フリックダウン操作”、“第一の領域タップ操作”、及び“第二の領域タップ操作”の名前は、前記タッチバーが前記携帯端末の左側又は右側に組み込まれ、かつ、前記タッチバーが上半分の部分かつ下半分の部分に分割されるとき、前記ユーザによって実行される前記タッチ操作のために使用される操作名に基づいている。実際のアプリケーションにおいて、前記ユーザによって実行されるタッチ操作の名前は、実際のアプリケーションに基づいて決定されてもよく、かつ、ここでは限定されない。
【００３１】
本発明の実施形態においては、受信された検出情報に含まれる前記位置情報及び方向情報に基づいて、前記プロセッサが、前記ユーザによって実行される前記タッチ操作を決定した後、前記プロセッサはまた、前記ユーザによって実行される前記タッチ操作と、前記携帯端末の前記ディスプレイインターフェース上に現在表示された前記コンテンツとに基づいて、前記携帯端末のブラウザ上に表示されたページをフリックアップするように制御し、又は、前記携帯端末の前記ブラウザ上の前記ページをフリックダウンするように制御し、又は、ドキュメントの前のページを表示するために前記携帯端末の前記ディスプレイインターフェースを制御し、又は、前記ドキュメントの次のページを表示するために前記携帯端末の前記ディスプレイインターフェースを制御し、又は、音量を上げるために前記携帯端末を制御し、又は、前記音量を下げるために前記携帯端末を制御してもよい。具体的には、例えば、前記プロセッサが、前記位置情報及び方向情報を含む検出情報を受信した後、もし、前記位置情報及び方向情報を使用することによって、前記ユーザによって実行される前記タッチ操作がフリックアップ操作であり、かつ、前記携帯端末の前記ディスプレイインターフェース上に現在表示された前記コンテンツがブラウザページであると決定される場合、前記プロセッサは、前記ブラウザに表示された前記ページをフリックアップするように制御する。もし、前記位置情報及び方向情報を使用することによって、前記ユーザによって実行される前記タッチ操作がフリックダウン操作であり、かつ、前記携帯端末の前記ディスプレイインターフェース上に現在表示された前記コンテンツがブラウザページであると決定される場合、前記プロセッサは前記ブラウザに表示された前記ページをフリックダウンするように制御する。もし、前記位置情報及び方向情報を使用することによって、前記ユーザによって実行される前記タッチ操作がフリックアップ操作であり、かつ、前記携帯端末の前記ディスプレイインターフェース上に現在表示された前記コンテンツがドキュメントページであると決定される場合、前記プロセッサは前記ドキュメントの前のページを表示するようにディスプレイインターフェースを制御する。もし、前記位置情報及び方向情報を使用することによって、前記ユーザによって実行される前記タッチ操作がフリックダウン操作であり、かつ、前記携帯端末の前記ディスプレイインターフェース上に現在表示された前記コンテンツがドキュメントページであると決定される場合、前記プロセッサは前記ドキュメントの次のページを表示するようにディスプレイインターフェースを制御する。もし、前記位置情報及び方向情報を使用することによって、前記ユーザによって実行される前記タッチ操作がフリックアップ操作であり、かつ、前記携帯端末の前記ディスプレイインターフェース上に現在表示された前記コンテンツが音声再生インターフェースであると決定される場合、前記プロセッサは前の音声セグメントを再生するように音楽プレーヤーを制御し、かつ、前記前の音声セグメントの再生インターフェースに入るように前記ディスプレイインターフェースを制御する。もし、前記位置情報及び方向情報を使用することによって、前記ユーザによって実行される前記タッチ操作がフリックダウン操作であり、かつ、前記携帯端末の前記ディスプレイインターフェース上に現在表示された前記コンテンツが音声再生インターフェースであると決定される場合、前記プロセッサは次の音声セグメントを再生するように音楽プレーヤーを制御し、かつ、前記次の音声セグメントの再生インターフェースに入るように前記ディスプレイインターフェースを制御する。もし、前記位置情報及び方向情報を使用することによって、前記ユーザによって実行される前記タッチ操作がフリックダウン操作であり、かつ、前記携帯端末の前記ディスプレイインターフェース上に現在表示された前記コンテンツがホームページであると決定される場合、前記プロセッサは前記音量を下げるように制御する。もし、前記位置情報及び方向情報を使用することによって、前記ユーザによって実行される前記タッチ操作がフリックアップ操作であり、かつ、前記携帯端末の前記ディスプレイインターフェース上に現在表示された前記コンテンツがホームページであると決定される場合、前記プロセッサは前記音量を上げるように制御する。もし、前記位置情報及び方向情報を使用することによって、前記ユーザによって実行される前記タッチ操作が第二の領域タップ操作であり、かつ、前記携帯端末の前記ディスプレイインターフェース上に現在表示された前記コンテンツがドキュメントページであると決定される場合、前記プロセッサは、前記ドキュメントの次のページを表示するように、ディスプレイインターフェースを制御する。もし、前記位置情報及び方向情報を使用することによって、前記ユーザによって実行される前記タッチ操作が第一の領域タップ操作であり、かつ、前記携帯端末の前記ディスプレイインターフェース上に現在表示された前記コンテンツがドキュメントページであると決定される場合、前記プロセッサは、前記ドキュメントの前のページを表示するように、ディスプレイインターフェースを制御する。もし、前記位置情報及び方向情報を使用することによって、前記ユーザによって実行される前記タッチ操作が第一の領域タップ操作であり、かつ、前記携帯端末の前記ディスプレイインターフェース上に現在表示された前記コンテンツが音声再生インターフェース又はホームページであり、又は、前記携帯電話が音楽再生状態にあるが音声再生インターフェースにないと決定される場合、前記プロセッサは前記音量を上げるように制御する。もし、前記位置情報及び方向情報を使用することによって、前記ユーザによって実行される前記タッチ操作が第二の領域タップ操作であり、かつ、前記携帯端末の前記ディスプレイインターフェース上に現在表示された前記コンテンツが音声再生インターフェース又はホームページであり、又は、前記携帯電話が音楽再生状態にあるが音声再生インターフェースにないと決定される場合、前記プロセッサは前記音量を下げるように制御する。
【００３２】
本発明の実施形態において、ユーザがページを閲覧するためにブラウザを使用するとき、前記ユーザは、前記タッチバーの前記タッチパネル102上のタッチ操作を実行してもよく、その結果、前記ブラウザのページ上に表示されたコンテンツをフリックアップ又はダウンするように制御し、かつ、ドキュメントを読むときに、前記ユーザはまた、前記タッチパネル102上でタッチ操作を使用することによってイーブックにおいてページダウンしてもよい。前記ユーザはまた、前記タッチパネル102上でタッチ操作を使用することによって前記音量を上げたり、又は下げてもよい。
【００３３】
本発明の実施形態において注目されるべきは、前記プロセッサが、前記ユーザによって実行される前記タッチ操作と、前記携帯端末の前記ディスプレイインターフェース上に現在表示された前記コンテンツとに基づいて前記携帯端末を制御する方法は、特定の状態に基づいて予め設定されてよく、かつ、前記プロセッサはまた、前記ユーザの使用習慣に基づいて方法を学習してもよい。それゆえに、実際のアプリケーションにおいて、前記プロセッサが、前記ユーザによって実行される前記タッチ操作と、前記携帯端末の前記ディスプレイインターフェース上に現在表示された前記コンテンツとに基づいて前記携帯端末を制御する方法はここでは限定されない。
【００３４】
本発明の実施形態において、前記タッチバーは、前記インターフェースモジュール101を使用することによって前記携帯端末に接続されており、その結果、前記ユーザは、前記タッチバーの前記タッチパネル102上で前記タッチ操作を使用することによって、例えば、ブラウザページにおいてフリックアップ及びダウンする、ドキュメントのページをめくる、かつ、音量を調節することによって前記携帯端末を制御してもよく、前記携帯端末の操作性は高まり、かつ、ユーザ体験は、スクリーンがユーザのタッチ操作によってブロックされることにより影響されることが防がれ、それ故に回避し、効率的にユーザ体験を改善する。
【００３５】
図３を参照すると、図３は、本発明の実施形態における携帯端末装置の構造の実施形態を示しており、前記携帯端末装置上のタッチバーは、携帯端末に固定されてもよく、又は、取り外し可能なように前記携帯端末に接続されてもよい。図４を参照すると、図４は、本発明の実施形態における携帯端末装置上の携帯端末及びタッチバーに分解されている構造概略図である。図５を参照すると、図５は、本発明の実施形態における携帯端末装置の構造概略図である。前記携帯端末装置は、タッチバー301及び携帯端末302を含む。
【００３６】
前記タッチバー301は、インターフェースモジュール101及びタッチパネル102を含み、かつ、前記インターフェースモジュール101は、前記タッチパネル102に接続される。
【００３７】
前記携帯端末302は、プロセッサ303及び端末インターフェース304を含み、かつ、前記端末インターフェース304は、前記インターフェースモジュール101に接続され、前記インターフェースモジュール101は、前記端末インターフェース304に適合する。
【００３８】
前記タッチバー301の前記タッチパネル102は、前記タッチパネル102上のユーザのタッチ操作を検出するとともに、対応する検出信号を生成するように構成され、かつ、前記インターフェースモジュール101及び前記端末インターフェース304を使用することによって、前記携帯端末302における前記プロセッサ303に、前記検出信号を送信するように構成され、その結果、前記プロセッサ303は、前記検出信号と、前記携帯端末のディスプレイインターフェース上に現在表示されたコンテンツとに基づいて前記携帯端末302を制御することが可能である。
【００３９】
本発明の実施形態において、前記タッチパネル102は、データ入力装置である。前記タッチパネル102は、タッチポイントを有し、かつ、前記タッチポイントは、前記タッチパネル102のパネル上に行列の形式で配列される。前記ユーザが、前記タッチパネル102上でタッチ操作を実行するとき、前記タッチパネル102上の前記タッチポイントは、前記ユーザのタッチ操作を検出し、かつ、対応する検出信号を生成し、前記検出信号は、位置情報及び方向情報を含み、前記位置情報は、前記タッチパネル102上の前記ユーザの前記タッチ操作の位置領域を表すために使用され、かつ、前記方向情報は、前記タッチパネル102上の前記ユーザの前記タッチ操作の方向を表すために使用される。例えば、もし、前記ユーザが、フリック操作を実行するだけである場合、前記タップ操作を検出した後に前記タッチパネル102によって生成される前記位置情報は、タッチポイント25,35,45,55,及び65であり、かつ、前記方向情報は、下向きである。
【００４０】
本発明の実施形態において、図３に示される前記携帯端末装置における前記タッチバー301は、前記携帯端末302の右側に組み込まれ、さらに、前記タッチバー301はまた、前記携帯端末302の左側に組み込まれ、又は、前記タッチバー301は前記携帯端末302の上側に組み込まれ、又は、前記タッチバー301は前記携帯端末302の減少側に組み込まれる。それゆえに、実際のアプリケーションにおいて、前記携帯端末302上の前記タッチバー301の組み込み部分は、実際の要求に応じて設定されてもよく、かつ、ここでは限定されない。
【００４１】
好ましくは、本発明の実施形態において、前記タッチパネル102は、タッチセンサーであってよい。
【００４２】
好ましくは、本発明の実施形態において、前記インターフェースモジュール101は、USBインターフェース、又は、UARTインターフェースであってよい。もし、前記タッチバー301上の前記インターフェースモジュール101が、USBインターフェースである場合、前記タッチバー301の前記インターフェースモジュール101に接続された前記端末インターフェース304は、USB インターフェースであり。もし、前記タッチバー301上の前記インターフェースモジュール101が、UARTインターフェースである場合、前記タッチバー301の前記インターフェースモジュール101に接続された前記端末インターフェース304はまた、UARTインターフェースであり、その結果、インターフェースモジュールと、適合インターフェースとの間の接続を実装する。
【００４３】
好ましくは、本発明の実施形態において、前記インターフェースモジュール102及び前記端末インターフェース304は、プラグ接続可能な方法で接続されてもよい。
【００４４】
好ましくは、本発明の実施形態において、前記携帯端末装置は、タブレットコンピュータ又は携帯電話であってよい。
【００４５】
好ましくは、前記携帯端末302はさらに、ディスプレイモジュール305を含み、前記ディスプレイモジュール305は、前記ユーザに示されるコンテンツを表示するように構成され、ついで、前記プロセッサ303は、前記ユーザによって実行される前記タッチ操作と、前記ディスプレイモジュール305に現在表示されたコンテンツとに基づいて、前記ディスプレイモジュール上に表示されたコンテンツを調節してもよい。図６を参照すると、図６は、図５に示される実施形態の携帯端末装置が、ディスプレイモジュール305を含むときの本発明の実施形態の構造概略図である。
【００４６】
好ましくは、前記携帯端末302はさらに、音声モジュール306を含んでもよく、かつ、前記音声モジュールは、ユーザによって聴かれる音声を送信するように構成され、ついで、前記プロセッサ303は、前記ユーザによって実行される前記タッチ操作と、前記ディスプレイモジュール305上に現在表示された前記コンテンツとに基づいて前記音声モジュール306を制御してもよい。図７を参照すると、図７は、図５に示される実施形態における携帯端末装置がディスプレイモジュール305及び音声モジュール306を含むときの構造概略図である。
【００４７】
本発明の実施形態において、前記プロセッサ303は、前記受信された検出信号に含まれる前記位置情報及び方向情報と、前記ユーザによって実行される前記タッチ操作との間のマッピング関係を予め設定してもよい。例えば、前記プロセッサ303は、予め設定された比率に基づいて、前記タッチパネル102を二つの領域、領域A及び領域Bそれぞれに分割してもよく、かつ、領域Aにおける前記ユーザのタップ操作は第一の領域タップ操作であると予め設定してよく、前記ユーザがBからAへの方向にフリックするとき、前記フリック操作はフリックアップ操作であると予め設定し、領域Bにおける前記ユーザのタップ操作は第二の領域タップ操作であると予め設定し、かつ、前記ユーザがAからBへの方向にフリックするとき、前記フリック操作はフリックダウン操作であると予め設定してもよい。前記プロセッサは、上記の方法に基づいて、前記タッチパネル上の前記ユーザのタッチについての前記位置情報及び方向情報と、前記ユーザによって実行される前記タッチ操作との間のマッピング関係を予め設定してよく、その結果、前記プロセッサは、前記インターフェースモジュールを使用することにより、前記タッチパネル102によって送信される検出情報を受信した後、検出情報に含まれる前記位置情報及び方向情報に基づいて、前記ユーザによって実行される前記タッチ操作を決定してもよい。
【００４８】
本発明の実施形態において、前記ユーザは、前記タッチパネル102上でタッチ操作を実行してもよく、かつ、前記タッチ操作はタップ操作又はフリック操作であってよく、前記フリック操作は、具体的には、フリックアップ操作及びフリックダウン操作を含むがこれに限定されず、かつ、前記タップ操作は、第一の領域タップ操作及び第二の領域タップ操作を含むがこれに限定されない。注目されるべきは、図３の実施形態における前記携帯端末302上の前記タッチバー301の組み込み部分は、本発明の実施形態における“フリックアップ操作”及び“フリックダウン操作”を表す実施例として使用される。図３に示される実施形態における上半分の部分及び下半分の部分に分割された前記タッチバー301は、“第一の領域タップ操作”及び“第二の領域タップ操作”を表す実施例として使用され、前記上半分の部分における前記ユーザのタップ操作は、“第一の領域タップ操作”であり、かつ、下半分の部分における前記ユーザのタップ操作は、“第二の領域タップ操作”である。実際のアプリケーションにおいて、前記ユーザによって実行されるタッチ操作の名前は、実際の状況に応じて決定されてよく、ここでは限定されない。
【００４９】
本発明の実施形態において、前記プロセッサ303が、受信された検出情報に含まれる前記位置情報及び方向情報に基づいて、前記ユーザによって実行される前記タッチ操作を決定した後、前記プロセッサ303はさらに、前記ユーザによって実行される前記タッチ操作と、前記携帯端末の前記ディスプレイモジュール305上に現在表示された前記コンテンツとに基づいて前記ディスプレイモジュールのブラウザ上に表示されたページをフリックアップするように制御し、又は、前記ディスプレイモジュールの前記ブラウザ上の前記ページをフリックダウンするように制御し、又は、ドキュメントの前のページを表示するように前記ディスプレイモジュールを制御し、又は、前記ドキュメントの次のページを表示するように前記ディスプレイモジュールを制御し、音量を上げるように前記音声モジュールを制御し、又は、前記音量を下げるように前記音声モジュールを制御してもよい。具体的には、例えば、前記プロセッサ303が、前記位置情報及び方向情報を含む検出情報を受信した後、もし、前記位置情報及び方向情報を使用することによって、前記ユーザによって実行される前記タッチ操作がフリックアップ操作であり、かつ、前記携帯端末302の前記ディスプレイモジュール305上に現在表示された前記コンテンツが、ブラウザページであると決定される場合、前記プロセッサ303は、前記ディスプレイモジュール305のブラウザに表示された前記ページをフリックアップするように制御し、もし、前記位置情報及び方向情報を使用することによって、前記ユーザによって実行される前記タッチ操作がフリックダウン操作であり、かつ、前記携帯端末302の前記ディスプレイモジュール305上に現在表示された前記コンテンツがブラウザページであると決定される場合、前記プロセッサ303は、前記ディスプレイモジュール305のブラウザ上に表示された前記ページをフリックダウンするように制御し、もし、前記位置情報及び方向情報を使用することによって、前記ユーザによって実行される前記タッチ操作がフリックアップ操作であり、かつ、前記携帯端末302の前記ディスプレイモジュール305上に現在表示された前記コンテンツがドキュメントページであると決定される場合、前記プロセッサ303は、前記ドキュメントの前のページを表示するように前記ディスプレイモジュール305を制御し、もし、前記位置情報及び方向情報を使用することによって、前記ユーザによって実行される前記タッチ操作が、フリックダウン操作であり、かつ、前記携帯端末302の前記ディスプレイモジュール305上に現在表示された前記コンテンツがドキュメントページであると決定される場合、前記プロセッサ303は、前記ドキュメントの次のページを表示するように前記ディスプレイモジュール305を制御し、もし、前記位置情報及び方向情報を使用することによって、前記ユーザによって実行される前記タッチ操作がフリックアップ操作であり、かつ、前記携帯端末302の前記ディスプレイモジュール305上に現在表示された前記コンテンツが、音声再生インターフェースであると決定される場合、前記プロセッサ303は、前の音声セグメントを再生するように制御し、かつ、前の音声セグメントの再生インターフェースに入るように前記ディスプレイモジュール305を制御し、もし、前記位置情報及び方向情報を使用することによって、前記ユーザによって実行される前記タッチ操作がフリックダウン操作であり、かつ、前記携帯端末302の前記ディスプレイモジュール305上に現在表示された前記コンテンツが音声再生インターフェースであると決定される場合、前記プロセッサ303が、次の音声セグメントを再生するように制御し、かつ、次の音声セグメントの再生インターフェースに入るように前記ディスプレイモジュール305を制御し、もし、前記位置情報及び方向情報を使用することによって、前記ユーザによって実行される前記タッチ操作がフリックダウン操作であり、かつ、前記携帯端末302の前記ディスプレイモジュール305上に現在表示された前記コンテンツがホームページであると決定される場合、前記プロセッサ303は、前記音量を下げるように前記音声モジュール306を制御し、もし、前記位置情報及び方向情報を使用することによって、前記ユーザによって実行される前記タッチ操作がフリックアップ操作であり、かつ、前記携帯端末302の前記ディスプレイモジュール305上に現在表示された前記コンテンツがホームページであると決定される場合、前記プロセッサ303は、前記音量を上げるように前記音声モジュール306を制御し、もし、前記位置情報及び方向情報を使用することによって、前記ユーザによって実行される前記タッチ操作は、第二の領域タップ操作であり、かつ、前記携帯端末302の前記ディスプレイモジュール305上に現在表示された前記コンテンツが、ドキュメントページであると決定される場合、前記プロセッサ303は、前記ドキュメントの次のページを表示するように前記ディスプレイモジュール305を制御し、もし、前記位置情報及び方向情報を使用することによって、前記ユーザによって実行される前記タッチ操作は、第一の領域タップ操作であり、かつ、前記携帯端末302の前記ディスプレイモジュール305上に現在表示された前記コンテンツはドキュメントページであると決定される場合、前記プロセッサ303は、前記ドキュメントの前のページを表示するように前記ディスプレイモジュール305を制御し、もし、前記位置情報及び方向情報を使用することによって、前記ユーザによって実行される前記タッチ操作は、第一の領域タップ操作であり、かつ、前記携帯端末302の前記ディスプレイモジュール305上に現在表示された前記コンテンツは、音声再生インターフェース又はホームページであり、又は、前記携帯電話は、音楽再生状態にあるが、音声再生インターフェースにはないと決定される場合、前記プロセッサ303は、前記音量を上げるように前記音声モジュール306を制御し、もし、前記位置情報及び方向情報を使用することによって、前記ユーザによって実行される前記タッチ操作は第二の領域タップ操作であり、かつ、前記携帯端末302の前記ディスプレイモジュール上305に現在表示された前記コンテンツが、音声再生インターフェース又はホームページであり、又は、前記携帯電話は、音楽再生状態にあるが、音声再生インターフェースにない場合、前記プロセッサ303は、前記音量を下げるように前記音声モジュールを制御する。
【００５０】
本発明の実施形態において、ユーザがページを閲覧するために前記携帯端末のブラウザ302を使用するとき、前記ユーザは、前記タッチバー301の前記タッチパネル102上のタッチ操作を実行してよく、その結果、前記ブラウザの前記ページに表示されたコンテンツをフリックアップ又はダウンするように制御し、ドキュメントを読むとき、前記ユーザはまた、前記タッチパネル102上でタッチ操作を使用することによって、イーブックにおいてページをダウンしてもよく、前記ユーザはまた、前記タッチパネル102上でタッチ操作を使用することによって前記音量を上げたり、又は下げたりしてもよい。
【００５１】
注目すべきは、本発明の実施形態において、前記プロセッサ303が、前記ユーザによって実行される前記タッチ操作と、前記携帯端末302の前記ディスプレイモジュール305上に現在表示された前記コンテンツとに基づいて前記携帯端末305及び前記音声モジュール306を制御する方法は、特定の状態に従って予め設定されてよく、かつ、前記プロセッサ303はまた、前記ユーザの使用習慣に基づいて前記方法を学習してよい。それゆえに、実際のアプリケーションにおいて、前記プロセッサが、前記ユーザによって実行される前記タッチ操作と、前記携帯端末302の前記ディスプレイモジュール305上に現在表示された前記コンテンツとに基づいて前記携帯端末を制御する方法は、ここでは限定されない。
【００５２】
本発明の実施形態において、携帯端末装置を使用することによって、ユーザは、タッチバーのタッチパネル上でのタッチ操作を使用すること、例えば、ブラウザページをフリックアップ及びダウンする、ドキュメントのページをめくる、及び、音量を調節するような機能を実装することによって携帯端末を制御することが可能であり、操作性が高まり、かつ、ユーザ体験は、スクリーンがユーザのタップ操作又はフリック操作によってブロックされることにより影響されることを防ぎ、効率的にユーザ体験を改善する。
【００５３】
本発明によって提供される前記タッチバー及び携帯端末装置は、上記に詳細に説明される。当業者は、本発明の実施形態の考えに基づく、具体的な実施方法及び適用範囲を変更することが可能であり。つまり、明細書の内容は、本発明を限定するものとして解釈されるべきではない。
【符号の説明】
【００５４】
１０１  インターフェースモジュール
１０２  タッチパネル
３０１  タッチバー
３０２  携帯端末機
３０３  プロセッサ
３０４  端末インターフェース
３０５  ディスプレイモジュール
３０６  音声モジュール
【図１】
2015510202.tif 000003
【図２】
2015510202.tif 000004
【図３】
2015510202.tif 000005
【図４】
2015510202.tif 000006
【図５】
2015510202.tif 000007
【図６】
2015510202.tif 000008
【図７】
2015510202.tif 000009
【手続補正書】
【提出日】平成25年12月18日(2013.12.18)
【手続補正１】
【補正対象書類名】特許請求の範囲
【補正対象項目名】全文
【補正方法】変更
【補正の内容】
【特許請求の範囲】
【請求項１】
タッチバーであって、
インターフェースモジュール及びタッチパネルを含み、
前記インターフェースモジュールは、前記タッチパネルに接続され、
前記インターフェースモジュールは、携帯端末上の適合インターフェースを接続するように構成され、かつ、
前記タッチパネルは、前記タッチパネル上でユーザのタッチ操作を検出し、対応する検出信号を生成し、かつ、前記インターフェースモジュールを使用することによって前記携帯端末の中のプロセッサに前記検出信号を送信するように構成され、その結果、前記プロセッサは、前記検出信号と、前記携帯端末のディスプレイインターフェース上に現在表示されたコンテンツとに基づいて前記携帯端末を制御する、タッチバー。
【請求項２】
前記検出信号は、位置情報及び方向情報を含み、その結果、前記プロセッサは、前記検出信号に含まれる前記位置情報及び方向情報に基づいて前記ユーザによって実行されるタッチ操作を決定し、前記位置情報は、前記タッチパネル上の前記ユーザの前記タッチ操作の位置領域を表すために使用され、かつ、前記方向情報は、前記タッチパネル上の前記ユーザの前記タッチ操作の方向を表すために使用される、請求項１に記載のタッチバー。
【請求項３】
前記プロセッサは、さらに、前記ユーザによって実行される前記タッチ操作と、前記携帯端末の前記ディスプレイインターフェース上に現在表示された前記コンテンツとに基づいて、前記携帯端末のブラウザ上に表示されたページをフリックアップするように制御し、又は、前記携帯端末の前記ブラウザ上の前記ページをフリックダウンするように制御し、又は、ドキュメントの前のページを表示するために前記携帯端末の前記ディスプレイインターフェースを制御し、又は、前記ドキュメントの次のページを表示するために前記携帯端末の前記ディスプレイインターフェースを制御し、又は、音量を上げるために前記携帯端末を制御し、又は、前記音量を下げるために前記携帯端末を制御するように構成される、請求項２に記載のタッチバー。
【請求項４】
前記タッチパネルはタッチセンサーである、請求項１〜３のいずれか一項に記載のタッチバー。
【請求項５】
前記インターフェースモジュールは、ユニバーサル・シリアル・バスUSBインターフェース、又は、万能非同期送受信機UARTインターフェースである、請求項１〜４のいずれか一項に記載のタッチバー。
【請求項６】
前記タッチ操作は、タップ操作又はフリック操作である、請求項１〜５のいずれか一項に記載のタッチバー。
【請求項７】
携帯端末装置であって、
タッチバー及び携帯端末を含み、
前記タッチバーは、インターフェースモジュール及びタッチパネルを含み、前記インターフェースモジュールは、前記タッチパネルに接続され、
前記携帯端末は、プロセッサ及び端末インターフェースを含み、前記端末インターフェースは、前記インターフェースモジュールに接続され、前記インターフェースモジュールは、前記端末インターフェースに適合し、
前記タッチパネルは、前記タッチパネル上のユーザのタッチ操作を検出するとともに、対応する検出信号を生成するように構成され、かつ、前記インターフェースモジュール及び前記端末インターフェースを使用することによって、前記プロセッサに前記検出信号を送信するように構成され、かつ、
前記プロセッサは、前記検出信号と、前記携帯端末のディスプレイインターフェース上に現在表示されたコンテンツとに基づいて前記携帯端末を制御するように構成される、携帯端末装置。
【請求項８】
前記携帯端末は、さらにディスプレイモジュールを含み、前記ディスプレイモジュールは、前記ユーザに示されるコンテンツを表示するように構成され、
前記検出信号は、位置情報及び方向情報を含み、前記プロセッサは、前記検出信号に含まれる前記位置情報及び前記方向情報に基づいて前記ユーザによって実行される前記タッチ操作を決定し、かつ、前記ディスプレイモジュールのブラウザ上に表示されたページをフリックアップするように制御し、又は、前記ディスプレイモジュールの前記ブラウザ上の前記ページをフリックダウンするように制御し、又は、ドキュメントの前のページを表示するために前記ディスプレイモジュールを制御し、又は、前記ユーザによって実行される前記タッチ操作と、前記ディスプレイモジュール上に現在表示された前記コンテンツとに基づいて前記ドキュメントの次のページを表示するために前記ディスプレイモジュールを制御するように構成され、
前記位置情報は、前記タッチパネル上の前記ユーザの前記タッチ操作の位置領域を表すために使用され、かつ、前記方向情報は、前記タッチパネル上の前記ユーザの前記タッチ操作の方向を表すために使用される、請求項７に記載の携帯端末装置。
【請求項９】
前記携帯端末はさらに、音声モジュールを含み、音声モジュールは、前記ユーザによって聴かれる音声を送信するように構成され、ついで、前記プロセッサはさらに、前記ユーザによって実行される前記タッチ操作と、前記ディスプレイモジュール上に現在表示された前記コンテンツとに基づいて音量を上げるように前記音声モジュールを制御し、又は、音量を下げるように前記音声モジュールを制御するように構成される、請求項８に記載の携帯端末装置。
【請求項１０】
前記インターフェースモジュールは、ユニバーサル・シリアル・バスUSBインターフェース、又は、万能非同期送受信機UARTインターフェースである、請求項７〜９のいずれか一項に記載の携帯端末装置。
【請求項１１】
前記タッチパネルは、タッチセンサーである請求項７〜１０のいずれか一項に記載の携帯端末装置。
【請求項１２】
前記インターフェースモジュールは、プラグ接続可能な方法で、前記端末インターフェースに接続される、請求項７〜１１のいずれか一項に記載の携帯端末装置。
【請求項１３】
前記タッチ操作は、タップ操作又はフリック操作である、請求項７〜１２のいずれか一項に記載の携帯端末装置。
【請求項１４】
前記携帯端末は、タブレットコンピュータ又は携帯電話である、請求項７〜１３のいずれか一項に記載の携帯端末装置。
【手続補正２】
【補正対象書類名】明細書
【補正対象項目名】０００７
【補正方法】変更
【補正の内容】
【０００７】
第一態様の考えられる第二の実施方法において、前記インターフェースモジュールは、ユニバーサル・シリアル・バス（USB）インターフェース(universal serial bus USB interface)、又は、万能非同期送受信機（UART）インターフェース(universal asynchronous receiver/transmitter UART interface)である。
【手続補正３】
【補正対象書類名】明細書
【補正対象項目名】００２８
【補正方法】変更
【補正の内容】
【００２８】
好ましくは、本発明の実施形態において、前記インターフェースモジュール101は、USBインターフェース、又は、UARTインターフェースであってよい。もし、前記タッチバー上の前記インターフェースモジュール101が、USB インターフェースである場合、前記タッチバー上の前記インターフェースモジュール101は、前記携帯端末上のUSB インターフェースに接続されてもよく、もし、前記タッチバー上の前記インターフェースモジュール101が、UARTインターフェースである場合、前記タッチバー上の前記インターフェースモジュール101は、前記携帯端末上のUARTインターフェースに接続されてもよく、その結果、インターフェースモジュールと、適合インターフェースとの間の接続を実行する。
【手続補正４】
【補正対象書類名】明細書
【補正対象項目名】００３９
【補正方法】変更
【補正の内容】
【００３９】
本発明の実施形態において、前記タッチパネル102は、データ入力装置である。前記タッチパネル102は、タッチポイントを有し、かつ、前記タッチポイントは、前記タッチパネル102のパネル上に行列の形式で配列される。前記ユーザが、前記タッチパネル102上でタッチ操作を実行するとき、前記タッチパネル102上の前記タッチポイントは、前記ユーザのタッチ操作を検出し、かつ、対応する検出信号を生成し、前記検出信号は、位置情報及び方向情報を含み、前記位置情報は、前記タッチパネル102上の前記ユーザの前記タッチ操作の位置領域を表すために使用され、かつ、前記方向情報は、前記タッチパネル102上の前記ユーザの前記タッチ操作の方向を表すために使用される。例えば、もし、前記ユーザが、フリック操作を実行するだけである場合、前記フリック操作を検出した後に前記タッチパネル102によって生成される前記位置情報は、タッチポイント25,35,45,55,及び65であり、かつ、前記方向情報は、下向きである。
【国際調査報告】
2015510202.tif 000010
2015510202.tif 000011
2015510202.tif 000012
2015510202.tif 000013
2015510202.tif 000014
2015510202.tif 000015